(57)【要約】【課題】複雑な表示が要求される多機能な照明装置で行う複雑な表示を、照明装置自身の表示装置を複雑化することなく、且つコストアップを招くこともなく実現する。【解決手段】本発明に係わる照明装置（２０）は、照明装置の発光機能の情報を表示可能な表示手段（３８）と、該発光機能の情報を入力するために操作される操作手段（３５）とを備えたカメラ（３０）から離間した状態で、該カメラと通信可能な照明装置（２０）であって、前記カメラとの間で相互に通信を行う通信手段（２５）と、前記カメラの前記表示手段に前記発光機能の情報を表示しつつ、前記操作手段を通じて入力された前記発光機能の情報を前記通信手段を介して取得して、該取得した情報を前記照明装置において設定されるべき前記発光機能の設定情報として設定する設定手段（２３）と、を有し、前記設定手段で設定された前記設定情報に基づいて発光動作を行うことを特徴とする。【選択図】図１
2010252041.tif 000002
【特許請求の範囲】
【請求項１】
照明装置の発光機能の情報を表示可能な表示手段と、該発光機能の情報を入力するために操作される操作手段とを備えたカメラから離間した状態で、該カメラと通信可能な照明装置であって、
前記カメラとの間で相互に通信を行う通信手段と、
前記カメラの前記表示手段に前記発光機能の情報を表示しつつ、前記操作手段を通じて入力された前記発光機能の情報を前記通信手段を介して取得して、該取得した情報を前記照明装置において設定されるべき前記発光機能の設定情報として設定する設定手段と、を有し、
前記設定手段で設定された前記設定情報に基づいて発光動作を行うことを特徴とする照明装置。
【請求項２】
請求項１に記載の照明装置であって、
前記通信手段は、
自身が、前記カメラにて入力された前記発光機能の情報を前記設定情報として設定可能な照明装置であるか否かを示す確認情報を前記カメラに送信すること、
を特徴とする照明装置。
【請求項３】
請求項１または２に記載の照明装置であって、
前記通信手段を介して、自身が設定可能な前記発光機能の情報を、前記カメラに送信すること、
を特徴とする照明装置。
【請求項４】
請求項１〜３のいずれか一項に記載の照明装置であって、
前記発光機能の設定情報を入力するための外部操作可能な照明装置側操作手段を備え、
前記通信手段は、
前記照明装置側操作手段により操作入力された前記発光機能の設定情報を、前記カメラの前記表示手段で表示させるために、前記カメラに送信すること、
を特徴とする照明装置。
【請求項５】
請求項１〜４のいずれか一項に記載の照明装置であって、
前記通信手段は、
前記カメラに着脱可能な通信装置を介して、前記カメラと前記通信を行うこと、
を特徴とする照明装置。
【請求項６】
種々の発光機能を設定可能な照明装置から離間した状態で、該照明装置と通信可能なカメラであって、
前記照明装置との間で相互に通信を行う通信手段と、
前記発光機能に関する情報を表示可能な表示手段と、
前記発光機能の設定情報を入力するための外部操作可能なカメラ側操作手段と、を有し、
前記通信手段は、
前記表示手段に前記発光機能の情報を表示しつつ、前記カメラ側操作手段を通じて操作入力された前記発光機能の情報を、前記照明装置で設定すべき前記発光機能の設定情報として前記照明装置に送信すること、
を特徴とするカメラ。
【請求項７】
請求項６に記載のカメラであって、
前記照明装置が前記カメラと通信可能な状態にあるか否かを検出する照明装置検出手段を備え、
前記照明装置検出手段により前記照明装置が前記カメラと通信可能な状態ではないことが検出されたときは、前記表示手段における前記発光機能の情報表示を終了すること、
を特徴とするカメラ。
【請求項８】
請求項６又は７に記載のカメラであって、
前記照明装置から前記設定情報の内容変更に関する情報を受信したときは、当該情報に基づいて前記表示手段に表示する表示内容を更新すること、
を特徴とするカメラ。
【請求項９】
請求項８に記載のカメラであって、
前記カメラ側操作手段により、前記照明装置から送信される前記設定情報の内容変更を無効とする操作入力がなされたときは、前記照明装置から前記内容変更の情報を受信した場合であっても、前記表示手段に表示する表示内容を更新しないこと、
を特徴とするカメラ。
【請求項１０】
請求項６〜９のいずれか一項に記載のカメラであって、
前記通信手段は、
前記カメラに着脱可能な通信装置を介して、前記照明装置と前記通信を行うこと、
を特徴とするカメラ。
【請求項１１】
カメラと、該カメラから離間した状態で該カメラと通信が可能な照明装置と、を備えるカメラシステムであって、
前記カメラは、
前記照明装置の発光機能に関する情報を表示可能な表示手段と、
前記発光機能の設定情報を入力するための外部操作可能な操作手段と、
前記照明装置との間で相互に通信が可能であり、前記表示手段に前記発光機能の情報を表示しつつ、前記操作手段を通じて操作入力された前記発光機能の情報を、前記照明装置で設定すべき前記発光機能の設定情報として前記照明装置に送信するカメラ側通信手段と、を備え、
前記照明装置は、
前記カメラ側通信手段との間で相互に通信が可能であり、該カメラ側通信手段から送信されてきた前記発光機能の情報を受信する照明装置側通信手段と、
前記照明装置側通信手段を介して取得された前記発光機能の情報を、前記照明装置において設定されるべき前記発光機能の設定情報として設定する設定手段と、
前記設定手段で設定された前記設定情報に基づいて発光動作を制御する発光制御手段と、を備えること、
を特徴とするカメラシステム。
【請求項１２】
請求項１１に記載のカメラシステムであって、
前記カメラ側通信手段及び前記照明装置側通信手段はともに、前記カメラに着脱可能であり且つ前記カメラ側通信手段から送信されてきた前記設定情報を記憶可能な記憶手段を備えた通信装置を介して、前記通信を行うこと、
を特徴とするカメラシステム。
【発明の詳細な説明】
【技術分野】
【０００１】
本発明は、照明装置、カメラ及びカメラシステムに関するものである。
【背景技術】
【０００２】
従来、複数の照明装置を用いた写真撮影では、マスター照明装置がカメラに装着され、カメラから離れた位置にリモート照明装置が配置される。そして、マスター照明装置が、カメラから各種の撮影情報や発光タイミング信号を受信して自らの発光を制御しつつ、リモート照明装置に対しても必要な撮影情報や発光タイミング信号を送信するようになっている。近年では、マスター照明装置とリモート照明装置との間をケーブルにより通信する有線方式に代わって、無線により通信するワイヤレス方式が一般的になっている。このワイヤレス方式の従来例として、マスター照明装置の微小発光パルス列を用いて、撮影情報と発光タイミング信号をリモート照明装置に送信する光パルス列方式を用いたものが知られている（特許文献１参照）。また、マスター照明装置とリモート照明装置との間で通信パケットを送受信する、ディジタル無線通信によるものが知られている（特許文献２参照）。
また、従来から、マスター照明装置側でリモート照明装置の照明条件を設定可能な多灯照明システムも周知である。この照明システムでは、カメラのホットシューに装着されたマスター照明装置の背面に設けられている表示装置を使って入力内容を確認しながら、リモート照明装置の照明条件（発光モードなど）をユーザが入力できるようになっている。そして、その入力された照明条件は、マスター照明装置側の発光部からの発光（本発光時やテスト発光時に伴う発光）により、光通信でリモート照明装置へ送信できるようになっている。
【先行技術文献】
【特許文献】
【０００３】
【特許文献１】特開２０００−８９３０５号公報
【特許文献２】特開２００８−３２９０９号公報
【発明の概要】
【発明が解決しようとする課題】
【０００４】
ところで、上記のような複数の照明装置を用いた写真撮影では、通信方式の如何にかかわらず、撮影者はマスター照明装置とリモート照明装置のそれぞれについて、発光モードや露出補正量などの発光機能の設定を行う必要があった。その際に、上記周知の多灯照明システムでは、カメラに装着されているマスター照明装置自身の照明条件だけでなく、リモート照明装置に対する照明条件をも、そのマスター照明装置を使って設定できるようになっている。具体的には、自身の照明条件及びリモート照明装置の照明条件を、マスター照明装置の背面に設置されたドット表示タイプの液晶表示装置に、設定入力内容を表示しながら入力するようになっている。ドット表示タイプの表示装置は、表示内容に対する自由度（表示可能な形状など）が大きく、複雑な形状の表示や多様な表示の切り換えなどが自由に出来て大変便利であるが、高価である、という問題がある。そのためドット表示タイプの表示装置を備えた照明装置は、コスト高になるとうい問題がある。
一方、比較的コストの安い、セグメント表示タイプの表示装置を、照明装置に組み込むことも考えられるが、セグメント表示タイプの表示装置で複雑な形状の表示や、複雑な表示切り換えを実現しようとすると、セグメント配置を複雑にしなければならず、その分だけ装置の複雑化を招き、コストアップを招くおそれがある。また、例えそのセグメント配置が実現できたとしても、その視認性は劣ることが想定される。
【０００５】
本発明の課題は、複雑な表示が要求される多機能な照明装置（上述のような多灯照明システムで使用される照明装置）で行う複雑な表示を（例えば、一灯照明として機能する場合の表示内容と、リモート照明システムのマスター照明装置として機能する場合の複雑な表示内容と、の両方の表示を交互に切り換えて表示する場合など）、照明装置自身の表示装置を複雑化することなく、且つコストアップを招くこともなく実現することができる照明装置、カメラ及びカメラシステムを提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、照明装置（２０）の発光機能の情報を表示可能な表示手段（３８）と、該発光機能の情報を入力するために操作される操作手段（３５）とを備えたカメラ（３０）から離間した状態で、該カメラと通信可能な照明装置（２０）であって、前記カメラとの間で相互に通信を行う通信手段（２５）と、前記カメラの前記表示手段に前記発光機能の情報を表示しつつ、前記操作手段を通じて入力された前記発光機能の情報を前記通信手段を介して取得して、該取得した情報を前記照明装置において設定されるべき前記発光機能の設定情報として設定する設定手段（２３）と、を有し、前記設定手段で設定された前記設定情報に基づいて発光動作を行うことを特徴とする。
請求項２に記載の発明は、請求項１に記載の照明装置（２０）であって、前記通信手段（２５）は、自身が、前記カメラ（３０）にて入力された前記発光機能の情報を前記設定情報として設定可能な照明装置であるか否かを示す確認情報を前記カメラに送信することを特徴とする。
請求項３に記載の発明は、請求項１または２に記載の照明装置（２０）であって、前記通信手段（２５）を介して、自身が設定可能な前記発光機能の情報を、前記カメラ（３０）に送信することを特徴とする。
請求項４に記載の発明は、請求項１〜３のいずれか一項に記載の照明装置（２０）であって、前記発光機能の設定情報を入力するための外部操作可能な照明装置側操作手段（２６）を備え、前記通信手段（２５）は、前記照明装置側操作手段により操作入力された前記発光機能の設定情報を、前記カメラ（３０）の前記表示手段（３８）で表示させるために、前記カメラに送信することを特徴とする。
請求項５に記載の発明は、請求項１〜４のいずれか一項に記載の照明装置（２０）であって、前記通信手段（２５）は、前記カメラに着脱可能な通信装置（２０等）を介して、前記カメラ（３０）と前記通信を行うことを特徴とする。
請求項６に記載の発明は、種々の発光機能を設定可能な照明装置（２０）から離間した状態で、該照明装置と通信可能なカメラ（３０）であって、前記照明装置との間で相互に通信を行う通信手段（３７）と、前記発光機能に関する情報を表示可能な表示手段（３８）と、前記発光機能の設定情報を入力するための外部操作可能なカメラ側操作手段（３５）とを有し、前記通信手段は、前記表示手段に前記発光機能の情報を表示しつつ、前記カメラ側操作手段を通じて操作入力された前記発光機能の情報を、前記照明装置で設定すべき前記発光機能の設定情報として前記照明装置に送信することを特徴とする。
請求項７に記載の発明は、請求項６に記載のカメラ（３０）であって、前記照明装置（２０）が前記カメラと通信可能な状態にあるか否かを検出する照明装置検出手段（３９）を備え、前記照明装置検出手段により前記照明装置が前記カメラと通信可能な状態ではないことが検出されたときは、前記表示手段（３８）における前記発光機能の情報表示を終了することを特徴とする。
請求項８に記載の発明は、請求項６又は７に記載のカメラ（３０）であって、前記照明装置（２０）から前記設定情報の内容変更に関する情報を受信したときは、当該情報に基づいて前記表示手段（３８）に表示する表示内容を更新することを特徴とする。
請求項９に記載の発明は、請求項８に記載のカメラ（３０）であって、前記カメラ側操作手段（３５）により、前記照明装置（２０）から送信される前記設定情報の内容変更を無効とする操作入力がなされたときは、前記照明装置から前記内容変更の情報を受信した場合であっても、前記表示手段（３８）に表示する表示内容を更新しないことを特徴とする。
請求項１０に記載の発明は、請求項６〜９のいずれか一項に記載のカメラ（３０）であって、前記通信手段（３７）は、前記カメラに着脱可能な通信装置（２０等）を介して、前記照明装置（２０）と前記通信を行うことを特徴とする。
請求項１１に記載の発明は、カメラ（３０）と、該カメラから離間した状態で該カメラと通信が可能な照明装置（２０）とを備えるカメラシステム（１０）であって、前記カメラは、前記照明装置の発光機能に関する情報を表示可能な表示手段（３８）と、前記発光機能の設定情報を入力するための外部操作可能な操作手段（３５）と、前記照明装置との間で相互に通信が可能であり、前記表示手段に前記発光機能の情報を表示しつつ、前記操作手段を通じて操作入力された前記発光機能の情報を、前記照明装置で設定すべき前記発光機能の設定情報として前記照明装置に送信するカメラ側通信手段（３７）とを備え、前記照明装置は、前記カメラ側通信手段との間で相互に通信が可能であり、該カメラ側通信手段から送信されてきた前記発光機能の情報を受信する照明装置側通信手段（２５）と、前記照明装置側通信手段を介して取得された前記発光機能の情報を、前記照明装置において設定されるべき前記発光機能の設定情報として設定する設定手段（２３）と、前記設定手段で設定された前記設定情報に基づいて発光動作を制御する発光制御手段（２３）と、を備えることを特徴とする。
請求項１２に記載の発明は、請求項１１に記載のカメラシステム（１０）であって、前記カメラ側通信手段（３５）及び前記照明装置側通信手段（２５）はともに、前記カメラ（３０）に着脱可能であり且つ前記カメラ側通信手段から送信されてきた前記設定情報を記憶可能な記憶手段を備えた通信装置（２０等）を介して、前記通信を行うことを特徴とする。
なお、符号を付して説明した構成は、適宜改良してもよく、また、少なくとも一部を他の構成物に代替してもよい。
【発明の効果】
【０００７】
本発明によれば、複雑な表示が要求される多機能な照明装置（上述のような多灯照明システムで使用される照明装置）で行う複雑な表示を、照明装置自身の表示装置を複雑化することなく、且つコストアップを招くこともなく実現することができる照明装置、カメラ及びカメラシステムを提供することにある。
【図面の簡単な説明】
【０００８】
【図１】実施形態に係わるカメラシステムの構成を示すブロック図である。
【図２】照明装置を背面から見たときの外観図である。
【図３】カメラを背面から見たときの外観図である。
【図４】カメラシステムの具体的な配置例を示す平面図である。
【図５】カメラからリモート照明装置として設定された照明装置の発光機能の設定を行う場合の処理手順を示すフローチャートである。
【発明を実施するための形態】
【０００９】
以下、図面を参照して、本発明に係わる照明装置、カメラ及びカメラシステムの実施形態について説明する。
図１は、本実施形態に係わるカメラシステム１０の構成を示すブロック図である。本実施形態のカメラシステム１０は、カメラ３０と、このカメラ３０に対して着脱可能な照明装置２０とを備えている。
【００１０】
図示のように、照明装置２０は、内部に図示しないプロテクタ、キセノン管、リフレクタ等を備える発光部２１と、発光部２１が発光した際の被写体光を受光する受光部２２と、照明装置２０内の各部の制御を行うＭＣＵ２３とを備える。なお、図示していないが、発光部２１には、コンデンサ、充電制御回路、閃光回路が接続されている。
【００１１】
また、照明装置２０は、メモリ２４と、通信部２５と、照明側操作部２６と、液晶モニタ２７とを備える。メモリ２４には、ＭＣＵ２３を制御するためのプログラム、このプログラムの実行に必要なデータのほか、自身の照明装置２０に設定可能な発光機能の情報、照明側操作部２６から入力された発光機能の設定情報、自身の照明装置２０で設定すべき発光機能の設定情報などが記憶される。また、ＭＣＵ２３が演算処理を実行するのに必要なデータなどが一時的に記憶される。
【００１２】
通信部２５は、カメラ３０との間で相互に無線通信を行うための通信手段である。照明側操作部２６は、照明装置２０に対し設定可能な発光機能の情報を入力するための操作部材などで構成されている。液晶モニタ２７は、照明側操作部２６から入力された発光機能の設定情報や、カメラ３０から受信した照明装置２０で設定すべき発光機能の設定情報などを表示するための表示手段である。
【００１３】
ここで、照明側操作部２６の具体例について簡単に説明する。図２は、照明装置２０を背面から見たときの外観図である。照明装置２０の背面中央には、液晶モニタ２７が配置されている。その下部には、照明側操作部２６として種々のダイアルやボタンが配置されている。撮影者は、セレクタダイアル２６ａ、ＯＫボタン２６ｂ、モードボタン２６ｃ、ファンクションボタン２６ｄを操作することにより、発光機能の情報を入力することができる。この場合、撮影者は、モードボタン２６ｃやファンクションボタン２６ｄを押して、液晶モニタ２７上に不図示のアイコンや設定値などを表示させた後、セレクタダイアル２６ａを回して所望の発光モードや調光補正量などを選択し、ＯＫボタン２６ｂを押すことにより、選択した内容を入力することができる。
【００１４】
また、後述するように、本実施形態では、照明装置２０における発光機能の情報は、撮影者がカメラ３０から入力することができる。更に、照明装置２０に対して撮影者が直接に発光機能の内容変更を行うことも可能であり、その場合は、入力された設定情報の内容変更に関する情報が通信部２５を介してカメラ３０へ送信される。なお、本実施形態の照明装置２０は、図２に示すワイヤレス設定スイッチ２８の切り換えにより、後述する“マスター照明装置”、“リモート照明装置”のいずれにも設定することができる。
【００１５】
図１において、ＭＣＵ２３は、撮影者によりカメラ３０のカメラ側操作部３５を通じて入力された発光機能の情報を通信部２５を介して取得し、この取得した発光機能の情報を自身の照明装置２０において設定されるべき発光機能の設定情報として設定する制御を行っている。そして、ＭＣＵ２３は、設定した設定情報に基づいて、発光部２１の発光動作を制御するようにしている。なお、設定した発光機能の設定情報はメモリ２４に記憶される。そして、照明装置２０とカメラ３０とが通信不能な状態となった場合や、照明装置２０の電源がオフとなった後に、再び照明装置２０とカメラ３０とが通信可能な状態となったときにメモリ２４から読み出され、照明装置２０における発光機能の設定情報としてカメラ３０に送信される。
【００１６】
また、ＭＣＵ２３は、照明装置２０がカメラ３０と通信可能な状態となったときに、カメラ３０からの機種確認信号に呼応して、自身がカメラ３０から入力された発光機能の情報を設定情報として設定可能な照明装置であるか否かを示す機種情報信号を通信部２５からカメラ３０に送信する制御を行っている。また、ＭＣＵ２３は、カメラ３０からの機能確認信号に呼応して、自身が設定可能な発光機能の情報（設定可能なモード、設定値の上限値、下限値など）を通信部２５からカメラ３０に送信する制御を行っている。
【００１７】
一方、カメラ３０は、被写体光が入射する撮像部３１と、撮像部３１から出力された画像信号に各種処理を行う画像データ処理部３２と、処理された画像信号を記録する記録部３３とを備えるデジタルカメラとして構成されている。また、カメラ３０は、カメラ内の各部を制御するＭＣＵ３４と、撮影者が発光機能を情報入力するためのカメラ側操作部３５を備える。
【００１８】
撮像部３１は、被写体からの反射光を撮像面で撮像し、画像信号に変換するものであり、ＣＣＤやＣＭＯＳ等の撮像素子を備える。
【００１９】
画像データ処理部３２は、撮像部３１から出力された画像信号を増幅し、ホワイトバランス調整、ガンマ補正、輪郭強調、レベル調整等の各種画像処理を行うものである。
【００２０】
記録部３３は、画像データ処理部３２で各種の処理が施された画像信号を、図示しないＣＦカード、ＳＤカード等の記録媒体に記録するものである。
【００２１】
カメラ側操作部３５は、撮影者が各種操作を行うための入力手段であり、撮影開始のレリーズスイッチや、通信先である照明装置２０の発光機能の設定情報を入力するための操作部材などで構成されている。ここで、カメラ側操作部３５の具体例について説明する。図３は、カメラ３０を背面から見たときの外観図である。カメラ３０の背面には後述する、任意の情報を表示可能なドット表示タイプの液晶モニタ３８が配置されており、その右側には、カメラ側操作部３５となる種々のダイアルやボタンが配置されている。この液晶モニタ３８には、カメラ３０の設定内容に関する各種撮影情報の表示の他に、撮像部３１で撮像したスルー画像を撮影済みの画像（記録部３３で記録媒体に記録された撮影済み画像を読み出した再生画像）、更には後述する照明装置の機能に関する情報も表示可能である。なお、このドット表示タイプの液晶モニタ３８は、表示できる内容には特に制約がなく、表示内容に関する自由度は比較的大きいものである。本実施形態において、撮影者はセレクタダイアル３５ａ、ＯＫボタン３５ｂ、不図示のファンクションボタンを操作することにより、照明装置２０の発光機能の情報を入力することができる。入力操作の手法は照明側操作部２６と同じであるため説明を省略する。
【００２２】
また図３では、マスター照明装置のほかに、リモート照明装置を３台制御可能な場合の表示形態例を示している。すなわち、液晶モニタ３８には、画面の上から順にマスター照明装置（Ｍ）、リモート照明装置（Ａ）、リモート照明装置（Ｂ）、リモート照明装置（Ｃ）の設定状態が表示されている。なお、マスター照明装置とは、カメラ３０に直接に装着された照明装置、又はカメラ３０に対して専用の調光コードを介して接続された照明装置である。また、リモート照明装置とは、カメラ３０とは離れた位置に配置され、ワイヤレスで制御される照明装置である。
【００２３】
液晶モニタ３８には、発光モードとして、“ＴＴＬ”はＴＴＬ調光、“絞りアイコン＋Ａ”は外部自動調光、“Ｍ”はマニュアル発光を示している。また、調光補正値として、＋Ｏ．３ＥＶ〜−０．７ＥＶまでの数値が示されている。また右上隅の“Ｃｈ１”は通信のためのチャンネル（番号）を示している。更に、下段には、撮影レンズの焦点距離“２４ｍｍ”、Ｆ値“Ｆ５．６”を示している。カメラ３０は、マスター照明装置、リモート照明装置のいずれに対しても発光機能の情報を入力することができる。
【００２４】
また、カメラ３０は、メモリ３６と、通信部３７と、液晶モニタ３８と、照明装置検出部３９とを備える。メモリ３６には、撮影者により入力された各種設定情報や、ＭＣＵ３４を制御するためのプログラム、このプログラムの実行に必要なデータのほか、カメラ側操作部３５を通じて入力された各照明装置２０（Ｍ）、２０（Ａ）〜２０（Ｃ）（以下、「各照明装置２０」とも称する）の発光機能の設定情報や、各照明装置２０（Ａ）〜２０（Ｃ）から受信した発光機能の情報や設定情報の内容変更に関する情報などが記憶される。また、ＭＣＵ３４が演算処理を実行するのに必要なデータや、撮像部３１で撮像された画像信号などが一時的に記憶される。通信部３７は、各照明装置２０（Ｍ）、２０（Ａ）〜２０（Ｃ）との間で相互に無線通信を行うための通信手段である。なお、本実施形態では、カメラ３０は、マスター照明装置２０（Ｍ）とも無線通信により情報通信を行うものとして説明するが、マスター照明装置２０（Ｍ）がカメラ３０のホットシューに装着されている場合で、且つそのホットシューが照明装置との間で情報通信可能な電気接点を具備している場合には、その電気接点を介して情報通信を行うようにしてもよい。
液晶モニタ３８は、照明装置２０から受信した各照明装置２０の発光機能の情報や、カメラ側操作部３５から入力された照明装置２０の発光機能の設定情報などを表示するための表示手段である。照明装置検出部３９は、各照明装置２０（Ｍ）、２０（Ａ）〜２０（Ｃ）がカメラ３０と通信可能な状態にあるか否かを検出するためのものである。
【００２５】
ＭＣＵ３４は、撮影者がカメラ側操作部３５の不図示のレリーズボタンを半押しすることによりオートフォーカス（ＡＦ）動作の実行信号が送信されると、撮像部３１の出力に基づいて、自動的に主要な被写体にピント合わせを行うＡＦ制御と、自動的に露出を合わせるＡＥ（自動露出）制御とを行う。そして、撮影者が上記レリーズボタンを全押しすることにより撮影開始信号が送信されると、不図示の絞り機構やシャッタなどを所定のタイミングで駆動して、撮像部３１において被写体光を撮像させる制御を行っている。
【００２６】
また、ＭＣＵ３４は、照明装置２０と通信可能な状態において、各照明装置２０（Ｍ）、２０（Ａ）〜２０（Ｃ）から受信した照明装置２０の発光機能の情報を液晶モニタ３８に表示するとともに、カメラ側操作部３５を通じて操作入力された発光機能の情報を、各照明装置２０で設定すべき発光機能の設定情報として各照明装置２０に送信する制御を行っている。また、ＭＣＵ３４は、各照明装置２０から設定情報の内容変更に関する情報を受信したときは、当該情報に基づいて液晶モニタ３８に表示する表示内容を更新する制御を行っている。このように、本実施形態のカメラシステム１０では、カメラ側操作部３５を通じて入力された発光機能の情報を各照明装置２０（Ｍ）、２０（Ａ）〜２０（Ｃ）の設定情報とすることができる。また、各照明装置２０側で入力された発光機能の情報の内容変更に連動して、カメラ３０側の表示内容を更新させることができる。すなわち、本実施形態では、各照明装置２０の発光機能の設定情報を、各照明装置２０とカメラ３０の双方向で入力することができるため、撮影者はカメラ３０側又は各照明装置２０側のどちらの側にいても発光機能の設定を変更することができる。例えば、図３のように３台のリモート照明装置（Ａ）〜（Ｃ）が接続されている場合は、表示内容が更新されたリモート照明装置の項目のみが変更されることになる。
【００２７】
なお、カメラ３０のＭＣＵ３４は、カメラ側操作部３５により、各照明装置２０（Ｍ）、２０（Ａ）〜２０（Ｃ）から送信される設定情報の内容変更を無効とする操作入力がなされたときは、各照明装置２０から内容変更の情報を受信した場合であっても、液晶モニタ３８に表示する表示内容を更新しないようにしている。すなわち、撮影者が各照明装置２０に対して直接に発光機能の内容変更を入力した場合であっても、上記のような各照明装置２０から送信される設定情報の内容変更を無効とする操作入力がなされている場合には、カメラ３０側で入力された発光機能の設定情報が優先されることになる。
【００２８】
また、ＭＣＵ３４は、照明装置検出部３９により各照明装置２０がカメラ３０と通信可能な状態ではないことが検出されたときは、液晶モニタ３８における発光機能の情報表示を終了する制御を行っている。このときは液晶モニタ２７に「リモート照明装置Ａが外されました」などのメッセージを表示するようにしてもよい。また、照明装置検出部３９により各照明装置２０とカメラ３０との通信状態を検出する際に、誤動作を回避するために、数１００ｍｓｅｃから１秒程度のタイムラグを持たせるようにしてもよい。すなわち、照明装置２０とカメラ３０との間が瞬間的に通信不能な状態になっても、すぐには発光機能の情報表示を終了しないようにするというものである。
【００２９】
また、ＭＣＵ３４は、各照明装置２０（Ｍ）、２０（Ａ）〜２０（Ｃ）と通信可能な状態となったときに、あらかじめカメラ側操作部３５を通じて操作入力された各照明装置２０の発光機能の情報がある場合は、その発光機能の情報をメモリ３６から読み出し、通信部３７を介して各照明装置２０へ送信する制御を行っている。すなわち、カメラ３０が各照明装置２０と通信可能な状態でないときでも、撮影者は各照明装置２０の発光機能の情報をカメラ３０に対して予約設定することができる。なお、このときは液晶モニタ３８に「予約設定できます」などのメッセージが表示されるようにしてもよい。
【００３０】
図４は、カメラシステム１０の具体的な配置例を示す平面図である。図４に示すように、カメラ３０にはマスター照明装置２０Ｍが装着されており、カメラ３０から離れた位置にリモート照明装置２０Ａ、２０Ｂが配置されている。マスター照明装置２０Ｍ、リモート照明装置２０Ａ、２０Ｂは、被写体４０に向けて３方向から照明光を発光するように配置されている。先に説明したように、本実施形態の照明装置２０は、マスター照明装置又はリモート照明装置のいずれにも設定することができる。本実施形態の照明装置２０をマスター照明装置２０Ｍに設定してカメラ３０に装着した場合、リモート照明装置２０Ａ、２０Ｂとカメラ３０との間の通信は、マスター照明装置２０Ｍの通信部２５を介して行われることになる。この場合、マスター照明装置２０Ｍはカメラ３０に着脱可能な通信装置として機能する。また、マスター照明装置２０Ｍ以外にも、カメラ３０に着脱自在な専用の通信装置を介することにより、リモート照明装置２０Ａ、２０Ｂとカメラ３０との間の通信を行うことができる。
【００３１】
更に、マスター照明装置２０Ｍをカメラ３０に装着しない場合には、リモート照明装置２０Ａ、２０Ｂの通信部２５を介して、カメラ３０の通信部３７との間で直接に通信を行うことができる。この場合も、それぞれのリモート照明装置２０Ａ、２０Ｂにおける発光機能の情報を、カメラ３０側から入力することができる。なお、カメラ３０（又はマスター照明装置２０Ｍを介して）との間で通信できるリモート照明装置の数は本実施形態の例に限らず、更に多くてもよい。
【００３２】
次に、上記のように構成されたカメラシステム１０において、カメラ３０からリモート照明装置として設定された照明装置２０の発光機能の設定を行う場合の処理手順を図５に示すフローチャートにより説明する。なお図５において、左側はカメラ３０のフローチャートを示し、右側は照明装置２０のフローチャートを示している。
【００３３】
まず、カメラ３０のＭＣＵ３４は、照明装置検出部３９により、照明装置２０との間で通信可能な状態となったことが検出されると（Ｓ１０１）、照明装置２０に対して機種確認信号を送信する（Ｓ１０２）。この機種確認信号は、照明装置２０がカメラ側から発光機能の情報を送信可能な機種かどうかを確認するためのものである。一方、照明装置２０のＭＣＵ２３は、カメラ３０から機種確認信号を受信すると（Ｓ２０１）、カメラ３０に対して、自身が、カメラ３０から入力された発光機能の情報を設定情報として設定可能な照明装置であるか否かを示す機種情報信号をカメラ３０に送信する（Ｓ２０２）。
【００３４】
続いて、カメラ３０のＭＣＵ３４は、照明装置２０から機種通知信号を受信すると、照明装置２０に対して機能確認信号を送信する（Ｓ１０４）。この機能確認信号は、照明装置２０がどのような発光機能を備えているかを確認するためのものである。照明装置２０のＭＣＵ２３は、カメラ３０から機能確認信号を受信すると（Ｓ２０３）、自身が設定可能な発光機能の情報をカメラ３０に送信する（Ｓ２０４）、カメラ３０のＭＣＵ３４は、照明装置２０から、照明装置２０で設定可能な発光機能の情報を受信する（Ｓ１０５）。
【００３５】
次に、カメラ３０のＭＣＵ３４は、受信した照明装置２０で設定可能な発光機能の情報に基づいて、例えば図３に示すような液晶モニタ３８に照明装置２０の発光機能に関する情報表示を行う（Ｓ１０６）。そして、撮影者による照明装置２０の発光機能の情報入力を取得する（Ｓ１０７）。撮影者は、例えば、図３に示すようなセレクタダイアル３５ａ、ＯＫボタン３５ｂ、不図示のファンクションボタンを操作することにより発光機能の情報入力を行うことができる。カメラ３０のＭＣＵ３４は、撮影者による発光機能の情報入力が終了すると、入力された発光機能の情報を照明装置２０へ送信する（Ｓ１０８）。
【００３６】
なお、あらかじめカメラ側操作部３５を通じて操作入力された照明装置２０の発光機能の情報がある場合は、ステップＳ１０６に続いて、発光機能の情報がメモリ３６から読み出され、通信部３７を介して照明装置２０へ送信される。ここで、あらかじめ操作入力された発光機能の情報と、実際に通信可能な状態となった照明装置２０の発光機能の情報とが一致しない場合は、照明装置２０で設定可能な発光機能の情報のみが選択されて照明装置２０へ送られる。
【００３７】
一方、照明装置２０のＭＣＵ２３は、カメラ３０から発光機能の情報を受信すると（Ｓ２０５）、この発光機能の情報を、自身の照明装置２０で設定すべき発光機能の設定情報として設定し、メモリ２４に記憶する（Ｓ２０６）。続いて、照明装置２０のＭＣＵ２３は、設定した発光機能の設定情報を液晶モニタ２７に表示する（Ｓ２０７）。この後、照明装置２０のＭＣＵ２３は、設定した発光機能の設定情報に基づいて、発光部２１の発光動作を制御することになる。
【００３８】
上記実施形態によれば、以下の効果を奏する。
（１）照明装置の機能設定に関する表示を、カメラの背面に設定された、詳細な表示が可能なドット表示タイプの表示装置を用いて行うようにしたので、照明装置側の表示装置を複雑化したりコストアップを招いたりすることなく、照明装置の機能に関する複雑な表示、或いは複雑な表示切り換えを実現できる。
（２）照明装置に設定すべき情報を設定入力する際に、カメラ側の表示装置で設定入力内容を確認しながら、カメラ側の操作部３５で入力操作できるように構成したので、この照明装置を本発明に係わるカメラの専用アクセサリとした場合には、照明条件を設定するために使用者に操作されるべき操作部材を、照明装置側から省略することもでき、照明装置の更なる小型化やコストダウンを図ることもできる。
（３）照明装置側で入力された発光機能の情報の内容変更に連動して、カメラ側の表示内容が更新されるため、撮影者はカメラ側又は照明装置側のどちらの側にいても発光機能の設定を変更することができる。
（４）カメラ側で所定の操作入力がなされたときは、照明装置から設定情報の内容変更の情報を受信しても、液晶モニタに表示する表示内容が更新されないようにすることができるため、撮影者は照明装置の位置を変える際に不用意に照明装置のボタンなどを触れてしまった場合でも、発光機能の設定情報が意図しない内容に変更されることがない。このため撮影者は、照明装置のボタンなどに気を使うことなく照明装置を移動することができ、また照明装置のボタンに触れてしまっても、照明装置の発光機能を再設定することなく、そのまま撮影を続行することができる。
（５）照明装置がカメラと通信可能な状態でないことが検出されたときは、カメラの液晶モニタにおける発光機能の情報表示を終了するようにしたので、撮影者は照明装置がカメラと通信可能な状態でないことを容易に認識することができる。また、液晶モニタを駆動するためのカメラ側の電池消耗を抑えることができる。
（６）マスター照明装置２０Ｍをカメラに装着しない場合であっても、リモート照明装置２０Ａ、２０Ｂの通信部２５を介して、カメラ３０の通信部３７との間で直接（マスター照明装置を介さずに）通信することが可能であるため、マスター照明装置を具備していなくてもリモート照明システムを実現することができる。このため、照明装置を２台用意しなくても、カメラと照明装置１台だけでリモート照明撮影を実施することができ、使用者の使い勝手が良い。
（変形形態）
【００３９】
以上説明した実施形態に限定されることなく、本発明は以下に示すような種々の変形や変更が可能であり、それらも本発明の範囲内である。
（１）照明装置をカメラに装着したときに、照明装置からカメラに対し、自身が、カメラから入力された発光機能の情報を設定情報として設定可能な照明装置であることを知らせる機種情報信号を自動的に送信するように制御してもよい。
（２）一般に、カメラの液晶モニタはドット表示タイプであるため、照明装置の液晶モニタがセグメント表示タイプであっても、カメラ側で詳細な情報表示を行うことができる。このため、例えばファームアップにより追加された機能であって、照明装置の液晶モニタでは表示できない機能をカメラ側の液晶モニタで表示させることもできる。また、照明装置を、本発明に係わるカメラの専用品とした場合は、照明装置側の液晶モニタを省略することができる。これによれば、液晶モニタ、モニタ駆動用ドライバ、メモリ、操作部材などを削減又は簡素化することができるので、コストの低減を図ることができる。
【００４０】
また、上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００４１】
１０：カメラシステム、２０：照明装置、２１：発光部、２３、３４：ＭＣＵ、２４、３６：メモリ、２５、３７：通信部、２６：照明側操作部、２７、３８：液晶モニタ、３５：カメラ側操作部、３９：照明装置検出部
【図１】
2010252041.tif 000003
【図２】
2010252041.tif 000004
【図３】
2010252041.tif 000005
【図４】
2010252041.tif 000006
【図５】
2010252041.tif 000007